(57)【要約】  本発明はスライディング建具用着脱可能なセグメント構造のドアガイドフレームにおいて、ドアガイドフレームの断熱性能の向上のために外側本体部と内側本体部に分割形成し、中間に熱橋遮断材を配置し、内側本体部の外側面に収容される第２ポケットガイドセグメントと外側本体部の内側面に収容される第３ポケットガイドセグメントが、アルミニウム素材の上部キャップ領域と分離されて熱橋遮断素材で形成された下脚領域を有する場合にも、ドアガイドフレームの断熱性能を毀損することなく、このように熱橋遮断素材で形成された下脚領域に対する良好な支持力を提供できる支持手段を提供するものである。
2019536925.tif 000002
【特許請求の範囲】
【請求項１】
スライディング窓の内外側の両面で横方向にガイド支持するポケットガイド（１３０）をドアガイドフレーム本体部１２０から分離可能に設置するものの、前記ポケットガイド（１３０）は、ドアガイドフレーム本体部（１２０）から着脱可能なポケットガイドセグメント（１３０：１３０（ａ）、（ｂ））で形成され、ローラーガイドレール（１１０）の進行方向に沿ってスライディング窓の内外側の両面で前記ポケットガイドセグメントが互いに分離可能に連続設置される構造を有するドアガイドフレーム（１００）であって、ドアガイドフレーム（１００）のガイドフレーム本体部（１２０）を外側本体部（１２０−ｏｕｔ）と内側本体部（１２０−ｉｎ）に分割形成し、中間に熱橋遮断材を配置し、内側本体部（１２０−ｉｎ）の外側面に収容される第２ポケットガイドセグメント（１３０−２）と外側本体部（１２０−ｏｕｔ）の内側面に収容される第３ポケットガイドセグメント（１３０−３）が、アルミニウム素材の上部キャップ領域（１３０ａ）と分離されて熱橋遮断素材で形成された下脚領域（１３０ｍ）を有するスライディング建具用着脱可能なセグメント構造のドアガイドフレームにおいて、ドアガイドフレームの断熱性能の向上のために外側本体部（１２０−ｏｕｔ）の内側面に一側面が結合される外部熱橋遮断材（１２０ｍ−ｏｕｔ）および内側本体部（１２０−ｉｎ）の外側面に一側面が結合される内部熱橋遮断材（１２０ｍ−ｉｎ）と；前記外部熱橋遮断材（１２０ｍ−ｏｕｔ）および前記内部熱橋遮断材（１２０ｍ−ｉｎ）の他側面に両側面が結合されるアルミニウム素材の中間コネクタ（１２０ｃ）を含んで構成され、前記中間コネクタ（１２０ｃ）の上部面には内側本体部（１２０−ｉｎ）の外側面に収容される第２ポケットガイドセグメント（１３０−２）と外側本体部（１２０−ｏｕｔ）の内側面に収容される第３ポケットガイドセグメント（１３０−３）の熱橋遮断素材で形成された下脚領域（１３０ｍ−ｆ）を分離支持できる分離支持具（１２０ｃｔ）が形成されていることを特徴とする、スライディング建具用着脱可能なセグメント構造のドアガイドフレーム。
【請求項２】
前記分離支持具（１２０ｃｔ）は前記中間コネクタ（１２０ｃ）の上部面で一体に上方に突出形成され、上端支持部（１２０ｃｔ−１）は下の突出延長部より幅が広く形成されることを特徴とする、請求項１に記載のスライディング建具用着脱可能なセグメント構造のドアガイドフレーム。
【請求項３】
前記分離支持具（１２０ｃｔ）の上端支持部（１２０ｃｔ−１）には前記第２ポケットガイドセグメント（１３０−２）および前記第３ポケットガイドセグメント（１３０−３）の熱橋遮断素材で形成された下脚領域（１３０ｍ−ｆ）から側面に突出形成された装着突起（１３０ｍ−ｆｅ）が互いに対向して装着されて支持されることを特徴とする、請求項２に記載のスライディング建具用着脱可能なセグメント構造のドアガイドフレーム。
【請求項４】
前記ドアガイドフレーム（１００）を構成する前記ドアガイドフレーム本体部（１２０）の両側面で垂直方向に設置される垂直ガイドフレーム（１０１）を外側垂直ガイドフレームと内側垂直ガイドフレームに分割形成し、その間を外側熱橋遮断材（１０１ｍ−ｏｕｔ）、コネクタ（１０１ｃ）、および内側熱橋遮断材（１０１ｍ−ｏｕｔ）を配置して連結することを特徴とする、請求項１〜請求項３のいずれか一項に記載のスライディング建具用着脱可能なセグメント構造のドアガイドフレーム。
【請求項５】
前記ドアガイドフレーム（１００）の外部の前面で、スライディング防虫窓（６００）を一体に防虫窓設置フレーム（５００）内に設置施工できるようにし、設置されたスライディング防虫窓（６００）を一体に防虫窓設置フレーム（５００）から分離できるようにするために、ポケット型で設置される防虫網設置フレーム本体部ポケット（５１０）；および前記防虫網設置フレーム本体部ポケット（５１０）の底面または天井面から設定離隔距離を有する位置からスライディング防虫窓（6００）のスライディング移動方向に沿って伸びるレール５２２を含んで形成され、前記防虫網設置フレーム本体部ポケット（５１０）の内部に着脱可能に挿入設置されるレールブリッジ５２０を含んでなる防虫窓設置フレーム（５００）を追加的に提供するものの、前記垂直ガイドフレーム（１０１）の外側垂直ガイドフレームの外部面と前記ドアガイドフレーム（１００）のガイドフレーム本体部（１２０）を形成する前記外側本体部（１２０−ｏｕｔ）から外部に延長形成された延長外部面（１０２−ｏｕｔ）のうち一つ以上の外部面に締結溝（１０１ａ）が提供され、前記防虫網設置フレーム本体部ポケット（５１０）には前記締結溝（１０１ａ）に挿入されて結合され得る締結突起（５０１）が突出形成されることを特徴とする、請求項４に記載のスライディング建具用着脱可能なセグメント構造のドアガイドフレーム。
【発明の詳細な説明】
【技術分野】
【０００１】
本発明はスライディング建具を支持し、スライディング開閉作用を提供するローラー装置のスライディング移動をガイドするドアガイドフレームに関し、さらに詳細には、障子窓または大型スライディング窓（以下、「スライディング窓」と称する）をスライディング窓が設置される底面および上部面で安定して支持し移動させることができ、高荷重のスライディング窓を支持するローラー装置およびドアガイドフレームの規格を最小化させてその設置空間を最小化することができ、これにより、窓に適用される場合にはより広く開放された視野の確保が可能であり、ひいてはドアガイドレールが窓枠の底面から上部に突出する現象をなくすことができる着脱可能なセグメント構造のドアガイドフレームを含んだ構造が採択できることによって、良好な美観を提供しながらも建具の開放時に移動通路上に突出するドアガイドレールによる通行障害が発生しないようにする効果を提供するなど、多様な分野で優秀な適用性を提供できるスライディング建具用着脱可能なセグメント構造のドアガイドフレームに関する。
【背景技術】
【０００２】
このような着脱可能なセグメント構造のドアガイドフレームを含んだスライディング建具の設置構造について、本願出願人は韓国特許出願第１０−２０１２−００４７７８９号（２０１２．０５．０６．出願）により開示される発明を提案したことがあり、この韓国特許出願は韓国特許公開公報第１０−２０１３−０１２４４４４号（２０１３．１１．１４．公開）および韓国登録特許公報第１０−１３６７８３５号（２０１４．０３．０３．公告）により公開および公告とされており、またＷＩＰＯ公開公報ＷＯ２０１３／１６８９４３Ａ１（２０１３．１１．１４．公開）およびＵＳ公開特許番号２０１５−０１２１７６４  Ａ１（２０１５．０５．０７．公開）に公開されている。
【０００３】
このような本願出願人の先出願による従来技術に係るスライディング建具の設置構造では、本願明細書に添付された図１〜図４に図示された通り、スライディング窓４００の内外側の両面（前面と背面／内面と外面）でガイド支持するポケットガイド１３０をドアガイドフレーム本体部１２０から分離可能に設置するものの、前記ポケットガイド１３０はドアガイドフレーム本体部１２０から着脱可能なポケットガイドセグメント（１３０：１３０（ａ）または１３０（ｂ）；１３０−１、１３０−２、１３０−３、１３０−４）で形成され、ローラーガイドレール１１０の進行方向に沿ってスライディング窓４００の内外側の両面で前記ポケットガイドセグメント（１３０：１３０（ａ）または１３０（ｂ））が互いに分離可能に連続設置される構造を有するドアガイドフレーム１００が提示されているが、このような構造を形成する着脱可能なセグメント構造のドアガイドフレーム１００を提供するための基本素材としてアルミニウム素材が一般的に利用され得、このようなアルミニウム素材の場合には、より具体的なその設置例を詳察すると、図１〜図４の作動状態横断面図と図２の一部分解斜視図（図４のＢ−Ｂ’切断線位置の斜視図）に図示されたように、前記ドアガイドフレーム１００の本体部１２０を建具の内外側に分割形成し、その中間に熱橋遮断材１２０ｍを配置する構造を採択することがさらに有利であり得、さらにポケットガイド１３０も前記ドアガイドフレーム本体部１２０の熱橋遮断材１２０ｍと接触する下脚領域１３０ｍは残りとなるアルミニウム素材の上部キャップ領域１３０ａと分離されて熱橋遮断素材で形成することができるはずである。
【０００４】
しかし、ドアガイドフレーム１００の本体部１２０を図５に図示された通り、中間に熱橋遮断材１２０ｍを配置して外側本体部１２０−ｏｕｔと内側本体部１２０−ｉｎに分割形成する場合に、その上部に設置される４個のポケットガイドセグメント（１３０：１３０（ａ）または１３０（ｂ）；１３０−１、１３０−２、１３０−３、１３０−４）の場合、これをドアガイドフレーム１００の本体部１２０、すなわち外側本体部１２０−ｏｕｔと内側本体部１２０−ｉｎのそれぞれのベース面上に分離可能に設置するために、ローラーガイドレール１１０が中心部に提供される前記ベース面上にローラーガイドレール１１０の進行方向に沿って両側に隔壁１２１を突出成形してポケットガイドセグメント１３０が挿入設置され得る収容部１２２が形成されるようにするが、このような内側本体部１２０−ｉｎの内側面収容部１２２には第１ポケットガイドセグメント１３０−１、内側本体部１２０−ｉｎの外側面収容部１２２には第２ポケットガイドセグメント１３０−２、外側本体部１２０−ｏｕｔの内側面収容部１２２には第３ポケットガイドセグメント１３０−２、外側本体部１２０−ｏｕｔの外側面収容部１２２には第４ポケットガイドセグメント１３０−４の脚部分がそれぞれ収容されることになる。
【０００５】
図１〜図４および図５に図示された構造を実際の製品に設計して製作した適用実施例が、図６、図７および図８に図示されている。このような適用実施例では、ドアガイドフレーム１００の本体部１２０だけでなく、両側の垂直ガイドフレーム１０１も内部フレームと外部フレームを中間に配置された熱橋遮断材１０１ｍに連結する断熱構造を採択しているという点で差があり、またスライディング窓４００を構成するガラス４１０の両側面にガラス４１０の横方向の撓み剛性を補完するための拡大断面（ガラスより厚い厚さを有する断面）を有する垂直補強材４２０の内部に、剛性の補完のための鋼鉄補強板４２２を挿入したという点で差がある。
【０００６】
以上で説明した従来技術に係るスライディング建具用着脱可能なセグメント構造のドアガイドフレームにおいて、内側本体部１２０−ｉｎの内側面に収容される第１ポケットガイドセグメント１３０−１と外側本体部１２０−ｏｕｔの外側面に収容される第４ポケットガイドセグメント１３０−４の場合には全体がアルミニウム素材で形成されるか（図５参照）、またはその脚部分が熱橋遮断材で形成（図６および図７）され得るが、これらは図面に図示された通り、内外側の２個の脚部分が下部にあるアルミニウム素材のドアガイドフレーム１００の本体部１２０の収容部１２２に収容されて良好な支持状態を形成する反面、図８に拡大図示された通り、内側本体部１２０−ｉｎの外側面に収容される第２ポケットガイドセグメント１３０−２と外側本体部１２０−ｏｕｔの内側面に収容される第３ポケットガイドセグメント１３０−３の場合には、アルミニウム素材の上部キャップ領域１３０ａと分離されて熱橋遮断素材で形成された下脚領域１３０ｍがドアガイドフレーム１００の本体部１２０の内側本体部１２０−ｉｎと外側本体部１２０−ｏｕｔの間を連結する熱橋遮断材１２０ｍの上部に位置するため良好な支持力を期待することが難しく、これらの間に適切な固定結合手段（嵌め込み結合具）を熱橋遮断材１２０ｍに提供することも難しいため（嵌め込み結合具を具備した状態で成形することが難しい）、実際の設置施工状態において第２ポケットガイドセグメント１３０−２と第３ポケットガイドセグメント１３０−３の間の接続部（ｃｏｎｔａｃｔ−Ｋ）に設置隙間が発生する恐れが高く、万一、このような隙間発生の可能性を低くするために公差余裕が殆どないように設計して製作すると、２個のうち一つが先に設置された状態で残りの一つを設置することが困難であるため、上部キャップ領域１３０ａが傾いて施工されるなど、施工不良が発生する問題点がある。
【０００７】
さらに、このような施工不良が発生すると、スライディング窓４００の下部のローラー部材４５０の側面に提供される付属ガイドローラー４５７との不適切な過度な摩擦により摩擦騒音が発生することもある。
【発明の概要】
【発明が解決しようとする課題】
【０００８】
本発明は前述した従来技術に対する問題点を解決するためのものであって、本発明の技術的課題は、スライディング建具用着脱可能なセグメント構造のドアガイドフレームにおいて、ドアガイドフレームの断熱性能の向上のために外側本体部と内側本体部に分割形成し、中間に熱橋遮断材を配置し、内側本体部の外側面に収容される第２ポケットガイドセグメントと外側本体部の内側面に収容される第３ポケットガイドセグメントが、アルミニウム素材の上部キャップ領域と分離されて熱橋遮断素材で形成された下脚領域を有する場合にも、ドアガイドフレームの断熱性能を毀損することなく、このように熱橋遮断素材で形成された下脚領域に対する良好な支持力を提供できる手段を提供することである。
【０００９】
また、前述した技術的課題の達成において、全体スライディング建具システムの断熱性能の向上を図りつつ、防虫窓を付加設置できる技術的手段も同時に提供しようとする。
【課題を解決するための手段】
【００１０】
本発明は前述した技術的課題を解決するために、
スライディング窓の内外側の両面で横方向にガイド支持するポケットガイドをドアガイドフレーム本体部から分離可能に設置するものの、前記ポケットガイドはドアガイドフレーム本体部から着脱可能なポケットガイドセグメントで形成され、ローラーガイドレールの進行方向に沿ってスライディング窓の内外側の両面で前記ポケットガイドセグメントが互いに分離可能に連続設置される構造を有するドアガイドフレームであって、
ドアガイドフレームを外側本体部と内側本体部に分割形成し、中間に熱橋遮断材を配置し、内側本体部の外側面に収容される第２ポケットガイドセグメントと外側本体部の内側面に収容される第３ポケットガイドセグメントが、アルミニウム素材の上部キャップ領域と分離されて熱橋遮断素材で形成された下脚領域を有するスライディング建具用着脱可能なセグメント構造のドアガイドフレームにおいて、
ドアガイドフレームの断熱性能の向上のために外側本体部の内側面に一側面が結合される外部熱橋遮断材および内側本体部の外側面に一側面が結合される内部熱橋遮断材と；
前記外部熱橋遮断材および前記内部熱橋遮断材の他側面に両側面が結合されるアルミニウム素材の中間コネクタを含んで構成され、
前記中間コネクタの上部面には、内側本体部の外側面に収容される第２ポケットガイドセグメントと外側本体部の内側面に収容される第３ポケットガイドセグメントの熱橋遮断素材で形成された下脚領域を分離支持できる分離支持具が形成されていることを特徴とする、スライディング建具用着脱可能なセグメント構造のドアガイドフレームを提供する。
【００１１】
また、前記ドアガイドフレームを構成する前記ドアガイドフレーム本体部の両側面で垂直方向に設置される垂直ガイドフレームを、外側垂直ガイドフレームと内側垂直ガイドフレームに分割形成し、その間を外側熱橋遮断材、コネクタ、および内側熱橋遮断材を配置して連結する構造を追加的に提供することができ、さらに前記ドアガイドフレームの外部の前面で、防虫窓設置フレームを追加的に提供するものの、前記垂直ガイドフレームの外側垂直ガイドフレームの外部面と前記ドアガイドフレームのガイドフレーム本体部を形成する前記外側本体部から外部に延長形成された延長外部面のうち一つ以上の外部面に防虫窓設置フレームのための締結溝が提供され得る。
【発明の効果】
【００１２】
本発明によると、内側本体部の外側面に収容される第２ポケットガイドセグメントと外側本体部の内側面に収容される第３ポケットガイドセグメントが、アルミニウム素材の上部キャップ領域と分離されて熱橋遮断素材で形成された下脚領域を有する場合にも、ドアガイドフレームの断熱性能を毀損することなく、このように熱橋遮断素材で形成された下脚領域を分離支持できる分離支持具が形成されている中間コネクタを外部熱橋遮断材と内部熱橋遮断材の間に提供することによって、良好な支持力を提供できるようにする効果を提供するものである。
【００１３】
また、全体のスライディング建具システムの断熱性能の向上を図りつつ、防虫窓を付加設置できる技術的手段も同時に提供しようとする。
【図面の簡単な説明】
【００１４】
【図１】本発明が適用される従来技術に係る着脱可能なセグメント構造のドアガイドフレームを具備したスライディング建具の設置構造の作動状態横断面図。
【図２】本発明が適用される従来技術に係る着脱可能なセグメント構造のドアガイドフレームを具備したスライディング建具の設置構造の作動状態横断面図。
【図３】本発明が適用される従来技術に係る着脱可能なセグメント構造のドアガイドフレームを具備したスライディング建具の設置構造の作動状態横断面図。
【図４】本発明が適用される従来技術に係る着脱可能なセグメント構造のドアガイドフレームを具備したスライディング建具の設置構造の作動状態横断面図。
【図５】図４のＢ−Ｂ’切断線位置の一部分解斜視図であって、スライディング建具の設置構造をアルミニウム窓枠システムに適用した実施例を図示した斜視図。
【図６】図１〜図４および図５に図示された構造を実際の製品に設計して製作した適用実施例を横断面図で図示した図面。
【図７】図６の縦断面図。
【図８】図７の「Ａ」部分の拡大図。
【図９】本発明の好ましい一実施例に係る着脱可能なセグメント構造のドアガイドフレームを具備したスライディング建具の設置構造の横断面図。
【図１０】図９に図示された実施例の縦断面図。
【図１１】図１０の「Ｂ」部分の拡大図。
【図１２】図９に図示された実施例にスライディング防虫窓を含んだ防虫窓設置フレームの追加設置状態を図示した横断面図。
【図１３】図１２に図示された追加実施例の縦断面図。
【図１４】図１３の「Ｃ」部分の拡大図。
【発明を実施するための形態】
【００１５】
以下、添付した図面を参照して本発明の実施例について、本発明が属する技術分野で通常の知識を有する者が容易に実施できるように詳細に説明する。しかし、本発明は多様な異なる形態で具現され得、ここで説明する実施例に限定されない。
【００１６】
本発明は前述したような従来技術の問題点を解決するためのものであって、図９、図１０、および図１１にはこのような本発明の基本概念によるスライディング建具の設置構造（着脱可能なセグメント構造のドアガイドフレームを具備したスライディング建具の設置構造）の好ましい一実施例の設置状態の断面図が図示されており、これらの図面を通じて例示される本発明の好ましい実施例によると、
図９に図示された通り、スライディング窓の内外側の両面で横方向にガイド支持するポケットガイド１３０をドアガイドフレーム本体部１２０から分離可能に設置するものの、前記ポケットガイド１３０は、ドアガイドフレーム本体部１２０から着脱可能なポケットガイドセグメント（１３０：１３０（ａ）、（ｂ））で形成され、ローラーガイドレール１１０の進行方向に沿ってスライディング窓の内外側の両面で前記ポケットガイドセグメントが互いに分離可能に連続設置される構造を有するドアガイドフレーム１００であって、
図１０に図示された通り、ドアガイドフレーム１００のガイドフレーム本体部１２０を外側本体部１２０−ｏｕｔと内側本体部１２０−ｉｎに分割形成し、中間に熱橋遮断材を配置し、内側本体部１２０−ｉｎの外側面に収容される第２ポケットガイドセグメント１３０−２と外側本体部１２０−ｏｕｔの内側面に収容される第３ポケットガイドセグメント１３０−３が、アルミニウム素材の上部キャップ領域１３０ａと分離されて熱橋遮断素材で形成された下脚領域１３０ｍを有するスライディング建具用着脱可能なセグメント構造のドアガイドフレーム１００において、
ドアガイドフレームの断熱性能の向上のために外側本体部１２０−ｏｕｔの内側面に一側面が結合される外部熱橋遮断材１２０ｍ−ｏｕｔおよび内側本体部１２０−ｉｎの外側面に一側面が結合される内部熱橋遮断材１２０ｍ−ｉｎと；前記外部熱橋遮断材１２０ｍ−ｏｕｔおよび前記内部熱橋遮断材１２０ｍ−ｉｎの他側面に両側面が結合されるアルミニウム素材の中間コネクタ１２０ｃを含んで構成され、前記中間コネクタ１２０ｃの上部面には、内側本体部１２０−ｉｎの外側面に収容される第２ポケットガイドセグメント１３０−２と外側本体部１２０−ｏｕｔの内側面に収容される第３ポケットガイドセグメント１３０−３の熱橋遮断素材で形成された下脚領域１３０ｍ−ｆを分離支持できる分離支持具１２０ｃｔが形成されているドアガイドフレームが提供される。
【００１７】
ここで、図１１の拡大図に、より具体的に示された通り、前記分離支持具１２０ｃｔは前記中間コネクタ１２０ｃの上部面で一体に上方に突出形成され、上端支持部１２０ｃｔ−１は下の突出延長部より幅が広く形成されることが好ましく、前記分離支持具１２０ｃｔの上端支持部１２０ｃｔ−１には前記第２ポケットガイドセグメント１３０−２および前記第３ポケットガイドセグメント１３０−３の熱橋遮断素材で形成された下脚領域１３０ｍ−ｆから側面に突出形成された装着突起１３０ｍ−ｆｅが互いに対向して装着されて支持されるようにすることが好ましい。
【００１８】
一方、本発明のより好ましい一実施例によると、図９に図示された通り、前記ドアガイドフレーム１００を構成する前記ドアガイドフレーム本体部１２０の両側面で垂直方向に設置される垂直ガイドフレーム１０１を外側垂直ガイドフレームと内側垂直ガイドフレームに分割形成し、その間を外側熱橋遮断材１０１ｍ−ｏｕｔ、コネクタ１０１ｃ、および内側熱橋遮断材１０１ｍ−ｏｕｔを配置して連結することが好ましいが、このような外側熱橋遮断材１０１ｍ−ｏｕｔ、コネクタ１０１ｃ、および内側熱橋遮断材１０１ｍ−ｏｕｔは、それぞれ前記ドアガイドフレーム本体部１２０の外部熱橋遮断材１２０ｍ−ｏｕｔ、中間コネクタ１２０ｃ、および内部熱橋遮断材１２０ｍ−ｉｎと角部分で連結されて、全体的なスライディング建具システムの断熱性能の向上を図ることができるようになる。
【００１９】
そして、本発明の好ましい追加実施例によると、スライディング建具システムに防虫窓設置構造を追加的に提供できるように、図１２〜図１４に図示された通り、前記ドアガイドフレーム１００の外部の前面で、スライディング防虫窓６００を一体に防虫窓設置フレーム５００内に設置施工できるようにし、設置されたスライディング防虫窓６００を一体に防虫窓設置フレーム５００から分離できるようにするために、ポケット型で設置される防虫網設置フレーム本体部ポケット５１０；および前記防虫網設置フレーム本体部ポケット５１０の底面または天井面から設定離隔距離を有する位置からスライディング防虫窓５００のスライディング移動方向に沿って延びるレール５２２を含んで形成され、前記防虫網設置フレーム本体部ポケット５１０の内部に着脱可能に挿入設置されるレールブリッジ５２０を含んでなる防虫窓設置フレーム５００を追加的に提供するものの、前記垂直ガイドフレーム１０１の外側垂直ガイドフレームの外部面と前記ドアガイドフレーム１００のガイドフレーム本体部１２０を形成する前記外側本体部１２０−ｏｕｔから外部に延長形成された延長外部面１０２−ｏｕｔのうち一つ以上の外部面に締結溝１０１ａが提供され、前記防虫網設置フレーム本体部ポケット５１０には前記締結溝１０１ａに挿入されて結合され得る締結突起５０１が突出形成されるようにすることが好ましいであろう。
【００２０】
ここで、図１４に拡大図示された通り、前記防虫網設置フレーム本体部ポケット５１０の内側面にはレール５２２の進行方向に沿って突出成形される係止段５１４が提供され、前記レールブリッジ５２０の内外側の両端部には前記係止段５１４に係止される係止突起５２４がレール５２２の進行方向に沿って提供されることが好ましく、係止段５１４と係止突起５２４が係止される部分では所定の摩擦力が発生して、外力を印加しない限り、レールブリッジ５２０が防虫網設置フレーム本体部ポケット５１０から分離しないようにするが、使用者がレールブリッジ５２０の上部面から突出形成されるレール５２２部分を把持して引っ張ると容易に脱去されて分離されるように形成されることが好ましい。
【００２１】
そして、前記レールブリッジ５２０は防虫網設置フレーム本体部ポケット５１０の内部から着脱可能な２以上のレールブリッジセグメントで形成されてもよい。
【００２２】
本願の図面において、スライディング窓４００以外の一つの窓２００が例示的に固定窓の形態で図示されているが、本発明の範囲内で固定窓ではなくスライディング窓となり得ることは当業者に自明である。
【００２３】
一方、本発明に係る基本概念にしたがってスライディング窓４００を支持するポケットガイドセグメント（１３０（ａ）、１３０（ｂ））をドア設置フレーム１００から脱去できるため、スライディング窓４００をドアガイドフレーム１００から分離したりドアガイドフレーム１００に設置する作業が遂行され得るが、このような過程は添付図面の図１〜図４に要約されて開示されている過程と実質的に略同じである。その全体的な構成と作用は、本願発明の発明者名義で出願された先行出願である韓国特許出願第１０−２０１２−００４７７８９号（韓国特許登録第１０−１３６７８３５号）と、これに基づいたＰＣＴ出願ＰＣＴ／ＫＲ２０１３／００３９１２号（ＷＩＰＯ公開公報ＷＯ２０１３／１６８９４３Ａ１）に、より具体的な内容が説明されているところ、その出願明細書および図面を本願の内容に統合して参照する。
【００２４】
以上、本発明の好ましい実施例について詳細に説明したが、本発明の権利範囲はこれに限定されるものではなく、下記の特許請求の範囲で定義している本発明の基本概念を利用した当業者の多様な変形および改良形態も本発明の権利範囲に属するものである。
【図１】
2019536925.tif 000003
【図２】
2019536925.tif 000004
【図３】
2019536925.tif 000005
【図４】
2019536925.tif 000006
【図５】
2019536925.tif 000007
【図６】
2019536925.tif 000008
【図７】
2019536925.tif 000009
【図８】
2019536925.tif 000010
【図９】
2019536925.tif 000011
【図１０】
2019536925.tif 000012
【図１１】
2019536925.tif 000013
【図１２】
2019536925.tif 000014
【図１３】
2019536925.tif 000015
【図１４】
2019536925.tif 000016
【国際調査報告】
2019536925.tif 000017
2019536925.tif 000018
2019536925.tif 000019
2019536925.tif 000020